(57)【要約】 【課題】  断面円形部材の屈曲部を、その外面との間に大きな隙間を形成することなく覆うことのできる構造を実現して、その部材を効果的に保護・保温することのできる断面円形部材の屈曲部用カバーを提供すること。【解決手段】  配管の屈曲部の外側外面を覆う背甲部１３と、この背甲部１３に連設されてその屈曲部の内側に向って外面を覆うように延在するアゴ部１６、１７とを備えて、そのアゴ部１６、１７の先端部に互いに係合可能に形成された雄係合部２２および雌係合部２１が配置された屈曲部用カバー１０であって、雌係合部２１は、アゴ部１６の先端部の外側に配置されるとともに対面構造に作製されて内部に雌側突当部２７が配設されており、雄係合部２２は、アゴ部１７の先端部で係合方向に連続する雄側突当部２９が配列されている。【選択図】      図２
0003115678.tif 000002
【実用新案登録請求の範囲】
【請求項１】
断面円形部材の屈曲部を外側から内側に向かって覆うように板材が湾曲形成された断面円形部材の屈曲部用カバーであって、
断面円形部材の屈曲部の内側に対応する位置に、互いに係合または離隔可能に形成された雄係合部と雌係合部が配置されており、
該雌係合部は、本体部の外側に配置されていることを特徴とする断面円形部材の屈曲部用カバー。
【請求項２】
前記雌係合部は本体部先端の外側に沿う対面構造に形成されるとともに、前記雄係合部は本体部先端を該雌係合部の対面構造内に差し込み可能に形成されており、
該雌係合部の対面構造内および雄係合部に、互いに離隔する方向への移動に対して突き当たって係止する突当部が形成されていることを特徴とする請求項１に記載の断面円形部材の屈曲部用カバー。
【請求項３】
前記雌係合部は、本体部からの第１延長部分を該本体部の外面に沿うように外側に折り返されて対面する第１対面部と、該第１対面部からの第２延長部分を当該第１対面部に沿うように外側に折り返されて対面する第２対面部と、該第２対面部からの第３延長部分を当該第２対面部に沿うように内側に折り返されて第１、第２対面部の対面構造の中間に位置する端面により構成された雌側突当部と、を備えており、
前記雄係合部は、本体部の先端部分が雌係合部の第１、第２対面部による対面構造内の雌側突当部よりも奥に差込可能に形成されているとともに、当該差込後には該雌側突当部に対向して突き当る形状に形成された雄側突当部が当該本体部の先端部分に形成されていることを特徴とする請求項２に記載の断面円形部材の屈曲部用カバー。
【請求項４】
前記雌係合部および雄係合部には、離隔する方向への移動に対して互いに突き当たって係止する突当部が形成されており、
該雌係合部または雄係合部の突当部の一方あるいは双方が、互いに離隔する方向に連続する複数箇所に形成されていることを特徴とする請求項１から３のいずれかに記載の断面円形部材の屈曲部用カバー。
【考案の詳細な説明】
【技術分野】
【０００１】
本考案は、断面円形部材の屈曲部用カバーに関し、詳しくは、内装する断面円形部材をその外面との間に大きな隙間を形成することなく覆うことのできるものに関する。
【背景技術】
【０００２】
従来より、水道などの配管（円筒形状などの断面円形部材）には、急激な温度変化の影響を受けないように保温する断熱材などをその配管の周囲に設置して保護することが行われており、例えば、水道管などでは、内部で水等が凍って破損してしまうことを防止している。
【０００３】
このような断熱材は、その素材表面の耐久性が低いことから、保護テープを巻いた上で、さらに、その保護テープが劣化して剥がれてしまうことを回避するために、その全体を覆うようにカバーを取り付けて保護するのが一般的である。
【０００４】
例えば、直線状の配管の場合には、その周囲に直線状の円筒形状に形成されたカバーが取り付けられており（例えば、特許文献１〜３を参照）、また、配管が屈曲する箇所には直線状のカバーを取り付けることができないので、その屈曲部に倣う形状に作製したカバーを取り付けることにより（例えば、特許文献３、４を参照）、配管の全体を覆うことを実現している。
【特許文献１】特開平９−２６９０９７号公報
【特許文献２】登録実用新案第３０６０５６６号公報
【特許文献３】登録実用新案第３０７９９９４号公報
【特許文献４】実開昭６０−１９４６９６号公報
【考案の開示】
【考案が解決しようとする課題】
【０００５】
このような断面円形部材用のカバーにあっては、配管の延在方向に形成された割り部を拡開させることによりその配管を内部に収装し、この後に、その割り部を閉じるように接近させて係合させることにより内部に配管を収装して覆う状態を維持するように設計されている。
【０００６】
しかしながら、上記の文献に記載の断面円形部材用のカバーのように、割り部間を閉じた状態に係合させる機構として、一方を他方の内部に差し込んで係止させる、所謂、雄雌構造を採用するものでは、雄側を差し込む雌側が断面円形部材を内装する内側に位置すると、その雌側の形状が断熱材などを含む断面円形部材の外面との間に隙間を画成することになり、その断熱材による保温・保護の効果を低下させてしまう。
【０００７】
また、配管などの断面円形部材やその周囲に設置する断熱材などの寸法は、ある程度、高精度に作製することは可能であるが、断面円形部材用のカバーは、所謂、板金加工であることから、内装する断面円形部材の表面に密接させるほど高精度に作製することが難しく、同様に、その断面円形部材の外面との間に画成される隙間により断熱材による保温・保護の効果を低下させてしまう。
【０００８】
ここで、内装する断面円形部材の屈曲部を覆う箇所に設置するカバーは、手作業で作製するものも多く、高精度な寸法精度で作製するのが特に困難であることから、内装する断面円形部材の外面との間に画成される隙間が大きくなり易く、その断熱材による保温・保護の効果を十分に得ることができるように調整することが難しい場合がある。
【０００９】
そこで、本考案は、断面円形部材の屈曲部を、その外面との間に大きな隙間を形成することなく容易に覆うことのできる構造を実現して、その屈曲部を効果的に保護・保温することのできる断面円形部材の屈曲部用カバーを提供することを目的とする。
【課題を解決するための手段】
【００１０】
上記課題を解決する断面円形部材の屈曲部用カバーの第１の考案は、断面円形部材の屈曲部を外側から内側に向かって覆うように板材が湾曲形成された断面円形部材の屈曲部用カバーであって、断面円形部材の屈曲部の内側に対応する位置に、互いに係合または離隔可能に形成された雄係合部と雌係合部が配置されており、該雌係合部は、本体部の外側に配置されていることを特徴とするものである。ここで、断面円形部材とは、延在方向と直交する方向の断面の外形が概略円形になる部材を意味しており、円筒形状や円柱形状も含まれて、また、その断面形状の外形が真円でなくとも良い。
【００１１】
この考案では、断面円形部材の屈曲部を内装可能に互いに拡開（離隔）させた後に接近・閉止させて内装する状態に係合させる雄係合部と雌係合部は、カバー本体部の外側に位置するので、雄係合部を差し込んだ雌係合部が内装する部材の外面からカバー本体部を離隔させて隙間を画成させてしまうことがなく、内装する部材の外面を近接する状態で覆うことができる。したがって、内装する部材を高品質に覆うことができる。
【００１２】
上記課題を解決する断面円形部材の屈曲部用カバーの第２の考案は、上記第１の考案の特定事項に加え、前記雌係合部は本体部先端の外側に沿う対面構造に形成されるとともに、前記雄係合部は本体部先端を該雌係合部の対面構造内に差し込み可能に形成されており、該雌係合部の対面構造内および雄係合部に、互いに離隔する方向への移動に対して突き当たって係止する突当部が形成されていることを特徴とするものである。
【００１３】
この考案では、対面構造の雌係合部内に雄係合部を差し込むと、内部の突当部により互いに離隔する方向に移動して拡開してしまうことが制限される。したがって、雄係合部との係合を維持する突当部を雌係合部内に内包して外部に露出することがなく、外部の部材などとの接触により不用意に外れてしまうことを制限することができ、内装部材を覆う状態を信頼性高く維持することができる。
【００１４】
上記課題を解決する断面円形部材の屈曲部用カバーの第３の考案は、上記第２の考案の特定事項に加え、前記雌係合部は、本体部からの第１延長部分を該本体部の外面に沿うように外側に折り返されて対面する第１対面部と、該第１対面部からの第２延長部分を当該第１対面部に沿うように外側に折り返されて対面する第２対面部と、該第２対面部からの第３延長部分を当該第２対面部に沿うように内側に折り返されて第１、第２対面部の対面構造の中間に位置する端面により構成された雌側突当部と、を備えており、前記雄係合部は、本体部の先端部分が雌係合部の第１、第２対面部による対面構造内の雌側突当部よりも奥に差込可能に形成されているとともに、当該差込後には該雌側突当部に対向して突き当る形状に形成された雄側突当部が当該本体部の先端部分に形成されていることを特徴とするものである。
【００１５】
この考案では、断面円形部材の屈曲部の内側に対応するカバー本体部の先端部分を延長して、その延長部分を繰り返し折り返すだけで、第１、第２対面部の対面する対面構造内に雌側突当部が位置する雌係合部を作製することができ、反対側のカバー本体部の先端をこの雌係合部内に差し込み可能で雄側突当部を有する雄係合部に作製すればよい。したがって、カバー本体部の先端部分に雌係合部と雄係合部を容易に形成して作製することができる。
【００１６】
上記課題を解決する断面円形部材の屈曲部用カバーの第４の考案は、上記第１から３のいずれかの考案の特定事項に加え、前記雌係合部および雄係合部には、離隔する方向への移動に対して互いに突き当たって係止する突当部が形成されており、該雌係合部または雄係合部の突当部の一方あるいは双方が、互いに離隔する方向に連続する複数箇所に形成されていることを特徴とするものである。
【００１７】
この考案では、雌係合部の雌側突当部と雄係合部の雄側突当部が拡開した状態から接近して閉止する状態にした後に、再度、離隔する方向に移動しようとするのを互いに突き当たって係合することにより係止する位置を複数箇所に設定することができる。したがって、内装する断面円形部材に対するカバー本体部の寸法が多少違っていたとしても、雌係合部と雄係合部の係合位置を互いに近接・離隔する方向に調整することができ、カバー本体部を内装する断面円形部材の外面に接近させて高品質に覆うことができる。
【考案の効果】
【００１８】
このように本考案によれば、断面円形部材の屈曲部をカバー本体部内に内装可能に拡開するとともに互いに係合して閉止状態にする雄係合部と雌係合部が、そのカバー本体部の外側で係合する構造にすることにより、カバー本体部と内装する断面円形部材の外面との間に大きな隙間が画成されることを回避することができ、内装する断面円形部材を高品質に覆うことができる。また、雌係合部と雄係合部を係合させる突当部を互いに近接・離隔する方向の複数箇所に設定して多段にすることにより、高精度な寸法精度を要求することなく、雌係合部と雄係合部の係合位置を調整してカバー本体部を内装する断面円形部材の外面に接近させることができ、内装する断面円形部材を高品質に覆うことができる。したがって、カバー本体部により内装する断面円形部材を高品質に覆って保温・保護することができ、その部材を十分に機能させることができる。
【考案を実施するための最良の形態】
【００１９】
以下、本考案の最良の実施形態を図面に基づいて説明する。図１〜図４は本考案に係る断面円形部材の屈曲部用カバーの一実施形態を示す図である。
【００２０】
図１において、屈曲部用カバー１０は、延在する方向に対する直交方向の断面の外形が概略円形になる円筒形状などの断面円形部材の屈曲部を、上記の文献１〜３に記載のものと概略同様に構成された不図示の直線部用カバーと共に覆って保護・保温するように設計されている。この屈曲部用カバー１０は、例えば、水道水や温水や冷媒などが流通する断面円形部材の配管の外面（その配管に断熱材が設置されている場合にはその外面）を覆うように、直線部用カバーが直線状に延在する円筒形状に作製されているのに対して、その直線部分に連続して屈曲する部分に倣う形状に作製されている。
【００２１】
この屈曲部用カバー１０は、異形の短冊形状の板金（板材）１１、１２を海老の背状に繋ぎ合わせることにより配管の屈曲部の外側に沿うように湾曲する背甲部（本体部）１３と、配管の屈曲部の内側に向って延在するように背甲部１３（板金１１、１２）に繋ぎ合わされて先端側が互いに係合する銀杏の葉形状の板金（板材）１４、１５からなるアゴ部（本体部）１６、１７と、を備えることにより、配管の屈曲部に着脱してその全体を覆うことができるように設計されている。ここで、板金１１、１２、１４、１５は、スポット溶接１８により連結されて繋ぎ合わされており、その連結部分にはロウ付け１９がなされて隙間がないように作製されている。
【００２２】
これにより、屈曲部用カバー１０は、アゴ部１６、１７の先端側を互いに離隔させて拡開することにより、配管の屈曲部の外側が背甲部１３内に位置するように外装させることができ、背甲部１３およびアゴ部１６、１７により画成される空間内に収納した後にそのアゴ部１６、１７の先端側を互いに係合させることによって、配管の屈曲部の全体を覆う状態を維持することができる。
【００２３】
具体的には、この屈曲部用カバー１０は、雄雌構造に形成されて互いに係合する係合部２１、２２がアゴ部１６、１７の先端側に作製されており、その一方のアゴ部１６（板金１４）に配設される雌係合部２１はその外側に形成されているとともに、他方のアゴ部１７（板金１５）の雄係合部２２はその雌係合部２１内に差し込むことにより係合させることができる。
【００２４】
屈曲部用カバー１０の雌係合部２１は、図２および図３に示すように、アゴ部１６を構成する板金１４を先端方向に延長した部分を繰り返し折り返すことにより、その内部に雄係合部２２を差込可能な対面構造に形成してそのアゴ部１６（板金１４）の先端の外側に位置するように作製されており、そのアゴ部１６（板金１４）の先端に対面する底面部（第１対面部）２５と、この底面部２５に対面する天井部（第２対面部）２６と、底面部２５および天井部２６の間の入口側（先端側）から奥側（後端側）への途中まで延在することによりその奥側から入口側に向う方向から見ると天井部２６の内面から突出する段差形状となる雌側突当部２７と、が形成されている。
【００２５】
この雌係合部２１は、例えば、アゴ部１６を構成する板金１４の先端側を、底面部２５、天井部２６、雌側突当部２７に必要な長さだけ延長した板材を準備しておき、まずは、雌側突当部２７に必要な幅だけ端辺２７ａから後退した位置（雌係合部２１の先端辺２１ａ）を内側に折り曲げて（折り返して）雌側突当部２７を形成する。この後に、アゴ部１６先端の先端辺１６ａに対応する位置を外側に折り曲げる（折り返す）ことにより、そのアゴ部１６の先端に対面する底面部２５を連設する状態で形成する。また、同様に、雄係合部２２を十分に差込可能にその先端辺１６ａから離隔する底面部２５の後端辺２５ａに対応する位置（先端辺１６ａ、２１ａの中間）を外側に折り曲げる（折り返す）ことにより、その底面部２５に対面する天井部２６を連設する状態で形成する。このように、雌係合部２１は、これらの折り返す作業を繰り返すだけで容易に作製することができる。ここで、この雌係合部２１の作製手順における先後端や内側や外側は、屈曲部用カバー１０のアゴ部１６を基準に記載するものである。また、この作製手順は、これに限るものではなく、先後の順番を入れ替えてもよいことは言うまでもない。
【００２６】
また、屈曲部用カバー１０の雄係合部２２には、図２〜図４に示すように、アゴ部１７を構成する板金１５の先端の幅方向に延在する切り込み２８がその幅方向の３箇所に、また、そのアゴ部１７先端の長さ方向の３箇所に形成されているとともに、それぞれの切り込み２８の先端側を内側から外側に向って突出させる形状に形成された凸形状の雄側突当部２９が作製されている。すなわち、この雄側突当部２９は、雄係合部２２の先端側から後端側に３段で連続する３列になるように形成されている。なお、この雄側突当部２９は、このような凸形状の３段・３列に限るものではなく、２段以上の１列以上であればよく、また、雄係合部２２の幅方向一杯に延在する形状であってもよいことは言うまでもない。
【００２７】
この雄係合部２２は、例えば、アゴ部１７を構成する板金１５の両面側から挟み込んで切り込み２８を入れる歯が付いているとともに、その切り込み２８の先端側の板金１５を内側から外側に向って押し上げる突起を有する工具により容易に作製することができる。ここで、この雄係合部２２の作製における先後端や内側や外側は、屈曲部用カバー１０のアゴ部１７を基準に記載するものである。また、この作製工具は、これに限るものではなよいことは言うまでもない。
【００２８】
これにより、屈曲部用カバー１０のアゴ部１６、１７は、そのアゴ部１６（板金１４）の先端の外側に沿うように形成された雌係合部２１（対面構造）内の底面部２５と天井部２６の間に雄係合部２２を容易に差し込むことができ、その差込量に応じて雄係合部２２の雄側突当部２９が雌係合部２１の雌側突当部２７を乗り越えた状態で係合させることができる。このアゴ部１６、１７は、外力や自身の弾性力などにより、先端部同士が離隔する引き抜き方向に移動しようとするが、雄側突当部２９の３段のうちのいずれかの端辺２９ａ（切り込み２８の一辺）に雌側突当部２７の端辺２７ａが突き当たって、その移動を制限（係止）することができ、互いに係合して背甲部１３と共に配管の屈曲部を覆う状態を維持することができる。
【００２９】
このとき、屈曲部用カバー１０の雌係合部２１は、アゴ部１６、１７の外側で雄係合部２２と係合することから、内装する配管の外面にアゴ部１６、１７をできるだけ接近させて覆う状態にすることができ、それらの間に隙間が画成されて配管を保護・保温する機能が損なわれてしまうことがない。また、この雌係合部２１は、アゴ部１６、１７の外側に配置される構造であっても、底面部２５と天井部２６が対面する対面構造内に雄係合部２２を差し込むことにより係合する構造であることから、雄係合部２２が外部に露出して他の部材などに接触することにより不用意に外れてしまうことがなく、信頼性高く配管を内装する状態を維持することができる。さらに、この雌係合部２１の雌側突当部２７に突き当てて係合・係止させる雄係合部２２の雄側突当部２９を３段の複数箇所に整列させているので、内装する配管の外径に応じてその係合・係止位置を調整することができ、寸法精度に余裕を持たせて安価に作製することができる。
【００３０】
このように本実施形態においては、配管などの屈曲する部分であっても、アゴ部１７の雄係合部２２を差込・係合させるアゴ部１６の雌係合部２１に邪魔されることなく、屈曲部用カバー１０の本体部（背甲部１３とアゴ部１６、１７）に接近する状態で高品質に覆うことができる。また、その雄係合部２２は、雌係合部２１に係合・係止させる位置を多段に調整することができ、背甲部１３やアゴ部１６、１７を高精度に作製することを要求することなく、配管の外形に応じて密接する状態に適宜調整することができる。したがって、内装する配管などを安価に作製可能な屈曲部用カバー１０により高品質に覆って保温・保護することができ、内装する配管の断熱材などの機能を十分に発揮させることができる。
【産業上の利用可能性】
【００３１】
これまで本考案の一実施形態について説明したが、本考案は上述の実施形態に限定されず、その技術的思想の範囲内において種々異なる形態にて実施されてよいことは言うまでもない。例えば、上述実施形態では、雄係合部２２の雄側突当部２９を多段に配列させる場合を説明するが、これに限るものではなく、雌係合部の雌側突当部を多段にしてもよく、また、双方を多段にすることもできる。また、上述実施形態では、配管の屈曲部を内装する屈曲部用カバー１０の場合のみを説明するが、これに限らずに、直線状の配管を覆うカバーにも本発明を適用することができる。
【図面の簡単な説明】
【００３２】
【図１】本考案に係る断面円形部材の屈曲部用カバーの一実施形態を示す図であり、（ａ）はその概略全体構成を示す斜視図、（ｂ）はその基本構成を示す平面図である。
【図２】その雄係合部と雌係合部を含む概略全体構成を示す図であり、（ａ）はその平面図、（ｂ）はその側面図である。
【図３】その雄係合部と雌係合部の要部構成を示す図であり、（ａ）はその拡大平面図、（ｂ）はその拡大断面側面図である。
【図４】その雄係合部の要部構成を示す係合方向から見たときの拡大断面正面図である。
【符号の説明】
【００３３】
１０……屈曲部用カバー    １１、１２、１４、１５……板金    １３……背甲部    １３……湾曲本体部    １６、１７……アゴ部    ２１……雌係合部    ２２……雄係合部    ２５……底面部    ２６……天井部    ２７……雌側突当部    ２７ａ……端辺      ２８……切り込み    ２９……雄側突当部    ２９ａ……端辺
【図１】
0003115678.tif 000003
【図２】
0003115678.tif 000004
【図３】
0003115678.tif 000005
【図４】
0003115678.tif 000006